(57)【要約】【課題】パチンコ遊技機の釘調整が指示内容通りに行われる確率を高めると共に、釘調整のための作業時間が必要以上にかかる事態を未然に防止可能にすること。【解決手段】管理装置８は、複数の釘調整作業者毎の釘調整に対する熟練度ランクを当該作業者の釘調整実績に基づいて判定する。この管理装置８からは、台毎表示ユニット７に対してパチンコ遊技機１の盤面２における２本の障害釘４についての調整目標値を含む釘調整指示データが与えられる。台毎表示ユニット７は、釘調整を開始しようとする特定作業者をカード挿入口１５に挿入された従業員ＩＤカード９ａに基づいて認識すると共に、釘調整開始対象とされたパチンコ遊技機１について釘調整指示データにより設定されている指示内容の難易度レベルと、管理装置８側で判定された特定作業者の熟練度ランクとの比較に基づいて当該作業者による釘調整作業の開始を許可するか否かを判断する。【選択図】　図１
2004113344.tif 000002
【特許請求の範囲】
【請求項１】
パチンコ遊技機の釘調整についての指示内容を設定する指示内容設定手段と、
パチンコ遊技機の釘調整を開始しようとする特定作業者を認識するための作業者認識手段と、
複数の釘調整作業者毎の釘調整に対する熟練度を当該作業者の釘調整実績に基づいて判定する熟練度判定手段と、
前記作業者認識手段が前記特定作業者を認識した場合に、その特定作業者が釘調整開始対象としたパチンコ遊技機について前記指示内容設定手段により設定されている指示内容の難易度レベルと前記熟練度判定手段が判定した前記特定作業者の熟練度との比較に基づいて当該特定作業者による釘調整作業の開始を許可するか否かを判断する判断手段とを備えたことを特徴とするパチンコ遊技機用釘調整支援システム。
【請求項２】
前記判断手段によって特定作業者による釘調整作業の開始が許可されたときに、該当するパチンコ遊技機に対してその前面ガラス扉のロック解除指令を与える指令手段を備えたことを特徴とする請求項１記載のパチンコ遊技機用釘調整支援システム。
【発明の詳細な説明】
【０００１】
【発明の属する技術分野】
本発明は、パチンコ遊技機において、盤面に設けられた障害釘の間隔などを調整する作業（所謂釘調整）を支援するためのパチンコ遊技機用釘調整支援システムに関する。
【０００２】
【発明が解決しようとする課題】
パチンコ遊技機の盤面には、種々の入賞口が設けられているが、それらの入賞口に対する入賞確率は、一般的に、入賞口の上方に設けられた２本ずつの障害釘により構成される所謂命釘の調整状態によって大きく左右されるものである。このため、従来では、パチンコホール従業員から選ばれた作業者が、ゲージ球を先端に取り付けたゲージ棒とハンマーとを利用して命釘の調整作業を日常的に行うようにしている。しかしながら、このような釘調整作業は、その内容に応じて難易度が大きく異なるという事情があるため、釘調整作業者（パチンコホール従業員）の熟練度に応じて釘調整結果の正確さや、釘調整に要する作業時間に大きな差が出てしまう。しかも、難易度が高い釘調整作業を誤って未熟な作業者に任せてしまうと、必要以上に作業時間がかかるばかりでなく、釘調整が指示内容通りに行われない恐れも出てくる。
【０００３】
本発明は上記事情に鑑みてなされたものであり、その目的は、パチンコ遊技機の釘調整時において、その釘調整についての指示内容に見合う熟練度の作業者に対してのみ釘調整作業が許可されるようになって、パチンコ遊技機の釘調整が指示内容通りに行われる確率を高め得ると共に、釘調整のための作業時間が必要以上にかかる事態を未然に防止可能となるパチンコ遊技機用釘調整支援システムを提供することにある。
【０００４】
【課題を解決するための手段】
請求項１記載のパチンコ遊技機用釘調整支援システムは、上記目的を達成するために、パチンコ遊技機の釘調整についての指示内容を設定する指示内容設定手段と、パチンコ遊技機の釘調整を開始しようとする特定作業者を認識するための作業者認識手段と、複数の釘調整作業者毎の釘調整に対する熟練度を当該作業者の釘調整実績に基づいて判定する熟練度判定手段と、前記作業者認識手段が前記特定作業者を認識した場合に、その特定作業者が釘調整開始対象としたパチンコ遊技機について前記指示内容設定手段により設定されている指示内容の難易度レベルと前記熟練度判定手段が判定した前記特定作業者の熟練度との比較に基づいて当該特定作業者による釘調整作業の開始を許可するか否かを判断する判断手段とを備えた構成としたものである。
【０００５】
この構成によれば、熟練度判定手段において、複数の釘調整作業者毎の釘調整に対する熟練度が当該作業者の釘調整実績に基づいて判定される。そして、パチンコ遊技機の釘調整作業を開始する際には、その釘調整についての指示内容が指示内容設定手段により指示される。また、この場合には、釘調整を開始しようとする特定作業者が作業者認識手段により認識され、これに応じて、判断手段が、上記釘調整開始対象とされたパチンコ遊技機について指示内容設定手段により前述のように設定されている指示内容の難易度レベルと、前記熟練度判定手段が判定した前記特定作業者の熟練度との比較に基づいて当該特定作業者による釘調整作業の開始を許可するか否かを判断する。この結果、パチンコ遊技機の釘調整時において、その釘調整についての指示内容に見合う熟練度の作業者に対してのみ釘調整作業が許可されるようになるから、パチンコ遊技機の釘調整が指示内容通りに行われる確率を高め得ると共に、従来のように釘調整のための作業時間が必要以上にかかる事態が発生することを未然に防止可能となる
この場合、請求項２記載のパチンコ遊技機用釘調整支援システムのように、前記判断手段によって特定作業者による釘調整作業の開始が許可されたときに、該当するパチンコ遊技機に対してその前面ガラス扉のロック解除指令を与える指令手段を備えた構成とすることもできる。
この構成によれば、釘調整作業が許可されたパチンコ遊技機の前面ガラス扉のロック解除が指令手段によって自動的に行われるから、釘調整作業を実際に行う上で便利になる。
【０００６】
【発明の実施の形態】
以下、本発明の一実施例について図面を参照しながら説明する。
図１には本発明よる釘調整支援システムの概略的構成が示されている。この図１において、パチンコ遊技機１の盤面２には、多数本の障害釘が突出状に設けられているが、この実施例では、説明の便宜上、周知のスタート入賞口３の入口に設けられた２本の障害釘４のみを図示している。このスタート入賞口３にパチンコ玉が入賞したときには、所定の抽選動作が行われると共に、盤面２に設置された図柄表示用ルーレット５が動作開始される。そして、その抽選結果が大当たりであった場合には、ルーレット５が所定の当たり図柄で停止されると共に、盤面２に設置された図示しない大当たり入賞口が所定期間だけ開放されるものであり、これに応じて入賞率が極端に高められた特賞状態を呈する構成となっている。従って、上記障害釘４は、パチンコ遊技機１の入賞率を大きく左右する所謂命釘となるものであり、盤面２には、この障害釘４以外にも多数組の命釘が存在する。
【０００７】
各パチンコ遊技機１と隣接した位置には、ＣＲ（カードリーダ）機６及び台毎表示ユニット７が並設されている。
ＣＲ機６は、図示しないプリペイドカードが挿入された状態でプリペイドカードに記憶された残高金額の範囲内で遊技媒体であるパチンコ玉を放出する。この場合、放出されたパチンコ玉はパチンコ遊技機１からその上皿１ａへ直接払出されるようになっている。
【０００８】
台毎表示ユニット７は入出力インタフェースを内蔵しており、パチンコ遊技機１は、パチンコホール用管理装置８（指示内容設定手段、熟練度判定手段に相当）との間でのデータ授受を台毎表示ユニット７を通じて行う構成となっている。この場合、パチンコ遊技機１から管理装置８へ送信されるデータは、アウト玉数（打込パチンコ玉数）、セーフ玉数（賞球として放出されたパチンコ玉数）、特賞状態の発生を示す特賞信号などである。尚、前記ＣＲ機６も管理装置８との間のデータ授受を上記台毎表示ユニット７を通じて行う構成となっている。この場合、管理装置８は、台毎表示ユニット７を通じて各パチンコ遊技機１の遊技状況及びＣＲ機６の売上状態を管理すると共に、台毎表示ユニット７に表示する画像を制御するようになっている。
【０００９】
測定装置９は、パチンコ遊技機１の釘調整を行うパチンコホール従業員（以下、釘調整作業者と呼ぶ）が携帯するものであり、例えば、特許第３０１０５４３号公報に見られる遊技機用釘間隔測定装置のように、２本の障害釘の内法寸法を測定する構成となっており、その測定結果（この実施例では、２本の障害釘４の釘間隔（内法寸法）を示す測定した結果）をデジタル値の測定値として出力可能になっている。この測定装置９による測定値は、台毎表示ユニット７に対して、ワイヤード通信手段或いは赤外線などを利用したワイヤレス通信手段を通じて入力できる構成となっている。
【００１０】
図２には台毎表示ユニット７の正面外観が示されている。この図２において、台毎表示ユニット７は、その最上部に後述する３段階の難易度レベルデータを例えば表示色に変化をつけること（赤色、黄色、緑色など）により表示するための報知ランプ１０を備えており、この他に、表示面にタッチパネル１１を有した液晶表示部１２、測定装置９による測定データを受けるためのデータ受信部１３、カード排出ボタン１４、カード挿入口１５を備えて構成されている。尚、カード挿入口１５にはパチンコホールが発行した会員カード及びパチンコホール従業員を認証するための従業員ＩＤカード９ａ（図１参照）が挿入される。
【００１１】
図３には台毎表示ユニット７の電気的構成が機能ブロックの組み合わせにより示されている。この図３において、台毎表示ユニット７は、制御部１６（作業者認識手段、判断手段、指令手段に相当）を主体として構成されている。この制御部１６は、ＣＰＵ１７、ＲＯＭ１８、ＲＡＭ１９を含んで成り、ＲＯＭ１８に記憶されたプログラムに基づいてＣＰＵ１７が動作する。ＣＰＵ１７は、データ受信部１３を通じて受信した測定装置９による測定値並びに管理装置８から与えられる調整目標値に関する表示及び演算制御、報知ランプ１０の点灯制御、タッチパネル１１に対するタッチ操作に応じて選択された遊技データ（例えば大当り回数、スタート回数など）の液晶表示部１２に対する表示制御、カード挿入口１５に対応して設けられたカードリーダ２０によるデータ読み取り制御、カード排出ボタン１４に対する操作状態の判断、入出力インタフェースである送受信部２１による管理装置８との通信制御並びにパチンコ遊技機１、ＣＲ機６のためのデータ通信中継制御などを行うようになっている。
【００１２】
さて、管理装置８においては、パチンコ遊技機１の釘調整についての指示内容を設定するための指示内容設定手段の機能を備えており、以下、その設定手順について説明しておく。
図４には、管理装置８側に設けられた図示しないモニタに表示される指示内容設定画面の一例が示されている。ここで、本実施例においては、パチンコ遊技機１の釘調整対象箇所として複数箇所（例えば３箇所）を指示できる形態としている。このような区分としては、図１に示したスタート入賞口３に対応した２本の障害釘４（これを釘調整箇所「Ｓ１」と規定する）と、これとは別の例えば２箇所の入賞口（図示せず）にそれぞれ設けられた障害釘（これらを釘調整箇所「Ｓ２」及び「Ｓ３」と規定する）と、上記障害釘４及びその周辺に位置した複数の障害釘（これを釘調整箇所「Ｓ周」と規定する）と、パチンコ遊技機１の盤面２の全体に分布した障害釘（これを釘調整箇所「ＡＬＬ」と規定する）とが設定される。
【００１３】
そして、この指示内容設定画面を通じて釘調整指示内容を設定する際には以下▲１▼〜▲４▼の手順を踏む。
▲１▼　画面中の入力番号指定ボックスａで入力番号を選択する。この入力番号は、測定装置９による測定値を記憶させるときの基準番号となるもので、３つまで記憶可能となっている。
▲２▼　画面中の調整箇所指定ボックスｄで釘調整箇所（前述した「Ｓ１」、「Ｓ２」、「Ｓ３」、「Ｓ周」、「ＡＬＬ」の何れか）を選択する。
▲３▼　画面中の指示値指定ボックスｅに対して、上記釘調整箇所についての釘調整目標値である２本の障害釘の釘間隔を示す指示値を入力する。
▲４▼　画面中の開始台番ボックスｂ及び終了台番ボックスｃに対して、釘調整対象のパチンコ遊技機１の台番号（遊技機ＩＤ）の範囲を入力する。
▲５▼　所定のキー操作により指示内容登録操作を行う。このような登録操作が行われると、画面中の指示内容表示エリアｆに対して、▲３▼、▲４▼で入力された条件が表示される。尚、指示内容表示エリアの縦列が台番号（遊技機ＩＤ）の上位桁を示し、横列が当該台番号の最下位桁を示すものである。この例では、台番号が１番から２０番までのパチンコ遊技機１の釘調整箇所「Ｓ１」の釘間隔を１１．３５ｍｍに設定した例が示されている。
【００１４】
また、管理装置８においては、釘調整作業者毎の釘調整実績を集計し、その集計結果に基づいて図５及び図６のような帳票データを作成するようになっている。
即ち、図５に示された従業員別釘調整作業集計データは、所定の集計期間（例えば１ヶ月単位）について、複数の釘調整作業者の従業員ＩＤと対応付けた状態で、当該作業者の釘調整に対する熟練の度合を示す作業者熟練度（これについては後述する）のランク（例えば「１」、「２」、「３」の３段階、「３」が最も高度な熟練度）、釘調整作業を行ったパチンコ遊技機１の台数、釘調整作業時間の合計、１台のパチンコ遊技機１当たりの平均作業時間、釘調整結果（例えば、特定の２本の障害釘の間隔を測定装置９により測定した値）の平均誤差をそれぞれ集計した帳票データである。
【００１５】
図６（ａ）に示された従業員別釘調整作業履歴データは、従業員ＩＤにより特定される各釘調整作業者について、釘調整作業を行った日付と対応付けた状態で、釘調整を行ったパチンコ遊技機１の機種ＩＤ、釘調整作業を行ったパチンコ遊技機１の台数、釘調整作業時間の合計をそれぞれ集計した帳票データである。尚、この帳票データ中には、該当する釘調整作業者の熟練度ランクも記録される。また、図６（ｂ）に示された日付別詳細データは、上記従業員別釘調整作業履歴データ中の各日付に対応した詳細なデータであり、従業員ＩＤにより特定される各釘調整作業者について、釘調整を行ったパチンコ遊技機１の機種ＩＤ及び遊技機ＩＤ（台番号）と対応付けた状態で、特定の２本の障害釘の間隔の釘調整目標値である指示値、釘調整結果を示す測定装置９による測定値、釘調整作業時間をそれぞれ集計した帳票データである。尚、この帳票データ中には、該当する釘調整作業者の熟練度ランク及び日付も記録される。
【００１６】
さらに、管理装置８は、図５及び図６のような帳票データ、つまり釘調整作業者毎の釘調整実績に基づいて各作業者毎の釘調整に対する熟練度を判定する熟練度判定手段の機能を備えており、以下、その機能について関連構成と共に説明する。
即ち、管理装置８には、図７に示すような釘調整難易度設定テーブルが記憶されている。この設定テーブルは、前述した釘調整箇所「Ｓ１」、「Ｓ２」、「Ｓ３」、「Ｓ周」、「ＡＬＬ」と、各箇所を釘調整するときの難易度レベルとを対応付けたものである。尚、難易度レベルは、対応箇所の釘調整を行うときに必要となる作業者熟練度のランク「１」、「２」、「３」により表示される。つまり、この例では、釘調整箇所「Ｓ１」、「Ｓ２」、「Ｓ３」の難易度レベルが最も低く、釘調整箇所「ＡＬＬ」の難易度レベルが最も高い状態を示している。
【００１７】
また、管理装置８には、図８に示すような熟練度ランク設定テーブルが記憶されている。この設定テーブルは、作業者熟練度のランク「１」、「２」、「３」に対応させた状態で、１台のパチンコ遊技機１あたりの平均釘調整作業時間と、全部のパチンコ遊技機１についての釘調整結果の平均誤差とを、それぞれ作業者熟練度の判断基準となるしきい値として記憶したものである。尚、平均誤差は次式で得られる。
平均誤差＝　Σ｜（測定値−指示値）｜／作業台数
そして、管理装置８は、図５及び図６に示した帳票データに基づいて、複数の釘調整作業者毎の平均釘調整作業時間と平均誤差を個別に算出し、その算出結果を熟練度ランク設定テーブルと照らし合わせることにより作業者熟練度のランク（算出された平均釘調整作業時間及び平均誤差の双方が合致していることがランク決定の条件となる）を決定し、その熟練度ランクを上記各帳票データ中に記憶する。
【００１８】
図９のフローチャートには、台毎表示ユニット７内の制御部１６による制御内容のうち本発明の要旨に関係した釘調整サポートルーチンの内容が示されており、以下これについて関連した作用と共に説明する。
図９において、釘調整サポートルーチンでは、まず、管理装置８から与えられる釘調整指示データの入力の有無を判断する（ステップＳ１）。この釘調整指示データには、釘調整対象の障害釘の位置を示す調整箇所を示すデータ（Ｓ１」、「Ｓ２」、「Ｓ３」、「Ｓ周」、「ＡＬＬ」の何れか）、当該障害釘についの釘間隔の調整目標値（指示値）を示すデータ、前回の釘調整作業時に測定した釘間隔を示す前回測定値データ、当該釘調整の難易度レベルを示すデータ、つまり釘調整に必要な作業者熟練度（「１」、「２」、「３」の何れか）を示すデータが含まれる。尚、前記図７のような釘調整難易度設定テーブルの内容を適宜なタイミング（例えば、パチンコホールの営業開始時、システムメンテナンス時など）において台毎表示ユニット７側にダウンロードしておく構成とすれば、上記釘調整指示データ中に釘調整の難易度レベルを示すデータを含ませる必要がなくなる。
【００１９】
そして、釘調整指示データの非入力状態ではそのままリターンするが、入力された場合には、報知ランプ１０を当該釘調整指示データ中の難易度レベルデータ（作業者熟練度を示すデータ）に応じた表示色で点灯させ（ステップＳ２）、液晶表示部１２に図１０（ａ）に示すような釘調整指示画面を表示させる（ステップＳ３）。
【００２０】
具体的には、上記釘調整指示画面には、「釘調整を開始して下さい。」というメッセージａ、釘調整の所要時間を表示するための時間表示部ｂ、ステップＳ１で入力された釘調整指示データ中の難易度レベルデータに対応した難易度レベルｃ、当該釘調整指示データ中の調整箇所データ、調整目標値データ、前回測定値データにそれぞれ対応した調整箇所ｄ、今回指示値ｅ、前回測定値ｆが表示される。
【００２１】
上記釘調整指示画面表示ステップＳ３の実行後には、カード挿入口１５に従業員ＩＤカード９ａが挿入されるまで待機する（ステップＳ４）。従業員ＩＤカード９ａが挿入されたときには、その従業員ＩＤを管理装置８との間の通信処理に基づいて認証し（ステップＳ５）、当該従業員ＩＤに対応した釘調整作業者の熟練度ランク（これは管理装置８側に記憶されている）が釘調整指示データ内の難易度レベルデータにより指示された難易度（これは前記釘調整指示画面中に難易度レベルｃとして表示されている）と合致するか否かを判断する（ステップＳ６）。
【００２２】
熟練度ランクが合致しない場合には、液晶表示部１２に釘調整作業の開始を拒否するメッセージを表示し（ステップＳ７）、この後にステップＳ６へ戻る。これに対して、熟練度ランクが合致した場合には、釘調整開始対象のパチンコ遊技機１に向けて、その前面ガラス扉のロック解除を指令するロック解除指令を送受信部２１を通じて出力する（ステップＳ８）。これにより、当該パチンコ遊技機１の前面ガラス扉を開放可能となる。この後には、所要時間計測用のタイマの計時動作を開始させると共に、その計時時間の前記時間表示部ｂ（図１０（ａ）参照）への表示動作を開始させる（ステップＳ９）。尚、熟練度ランクが合致している旨の判断を行った時点で液晶表示部１２に前記拒否メッセージが表示されていた場合には、これを初期化して前記釘調整指示画面を表示させた状態に戻すことになる。
【００２３】
従って、釘調整作業者は、パチンコ遊技機の前面ガラス扉を開放して釘調整作業を開始できることになり、このときの釘調整作業は、液晶表示部１２に表示された釘調整指示画面を参照しながら正確に実行し得るようになる。
【００２４】
上記ステップＳ９の実行後には、測定装置９から測定値が入力されるまで待機する（ステップＳ１０）。尚、測定値の入力は、釘調整作業者が測定装置９を所定に操作することにより行われる。そして、測定装置９から測定値が入力されたときには、釘調整指示データ内の調整目標値データにより指示された調整目標値（これは前記釘調整指示画面中に今回指示値ｅとして表示されている）と入力された測定値とを比較する（ステップＳ１１）。
【００２５】
この後には、ステップＳ１１での比較結果に基づいて、調整目標値と測定値とが所定の関係にあるか否か、例えば、両者の誤差が予め設定された許容範囲内か否かを判断する（ステップＳ１２）。誤差が許容範囲を外れている場合には、液晶表示部１２に図１０（ｂ）に示すような再調整指示画面を表示させるステップＳ１３を実行した後にステップＳ１０へ戻る。図１０（ｂ）において、上記再調整指示画面には、「指示値と一致していません。もう一度調整して下さい。」というメッセージａ′、前記時間表示部ｂ、難易度レベルｃ、調整箇所ｄ、今回指示値ｅが表示されると共に、測定装置９による現在の測定値ｆ′が表示される。
【００２６】
これに対して、調整目標値と測定値との誤差が許容範囲内であった場合には、前記タイマによる計時動作を終了させ（ステップＳ１４）、液晶表示部１２に図１０（ｃ）に示すような釘調整完了画面を表示させる（ステップＳ１５）。図１０（ｃ）において、上記釘調整完了画面には、「釘調整お疲れさまでした。」というメッセージａ″が表示されると共に、前記時間表示部ｂ、難易度レベルｃ、調整箇所ｄ、今回指示値ｅ、現在の測定値ｆ′が表示される。
【００２７】
この後には、管理装置８へ作業データを出力するステップＳ１６、報知ランプ１０を消灯させるステップＳ１７を順次実行してリターンする。尚、上記作業データには、釘調整を行ったパチンコ遊技機１のＩＤ番号、釘調整作業者の従業員ＩＤ、測定装置９により測定した釘間隔データ（前記釘調整完了画面中に現在測定値ｆ′として表示された値）、作業時間（釘調整完了画面中の時間表示部ｂに表示された値）が含まれるものである。
【００２８】
要するに、上記した本実施例においては、パチンコ遊技機１の釘調整作業時には、当該パチンコ遊技機１における任意の２本の障害釘の釘間隔についての調整目標値が液晶表示部１２に今回指示値として表示されるから、釘調整作業者は、その今回指示値を参照して釘調整作業を行うことになる。このように、パチンコ遊技機１毎に設置された液晶表示部１２に釘調整作業時の調整目標値が今回指示値として表示されるから、釘調整作業者側では、パチンコ遊技機１毎に固有の調整目標値を間違いなく認識できることになり、実際に釘調整作業を行う上で極めて有益になる。この場合、液晶表示部１２には、前回の釘調整作業の結果（測定装置９による最終的な測定値）が前回測定値として表示されるから、釘調整時に釘を広げる方向に調整するかこの逆に調整するかを正確に認知可能となり、実際に釘調整作業を行う上で極めて有益になる。
【００２９】
また、管理装置８は、複数の釘調整作業者毎の釘調整に対する熟練度ランクを当該作業者の釘調整実績に基づいて判定する機能と、パチンコ遊技機１の釘調整作業を開始する際に、その釘調整についての指示内容である釘調整指示データを与える機能も備えている。また、この場合には、台毎表示ユニット７が、釘調整を開始しようとする特定作業者をカード挿入口１５に挿入された従業員ＩＤカード９ａに基づいて認識すると共に、上記釘調整開始対象とされたパチンコ遊技機１について釘調整指示データにより設定されている指示内容の難易度レベルと、管理装置８側で判定された特定作業者の熟練度ランクとの比較に基づいて当該特定作業者による釘調整作業の開始を許可するか否かが判断される構成となっている。この結果、パチンコ遊技機１の釘調整時において、その釘調整についての指示内容に見合う熟練度の作業者に対してのみ釘調整作業が許可されるようになるから、パチンコ遊技機１の釘調整が指示内容通りに行われる確率を高め得ると共に、従来のように釘調整のための作業時間が必要以上にかかる事態が発生することを未然に防止可能となる。
しかも、上述のように釘調整作業が許可されたパチンコ遊技機１の前面ガラス扉のロック解除が自動的に行われる構成となっているから、釘調整作業を実際に行う上で便利になる。
【００３０】
また、前述のように今回指示値が表示されたときには、台毎表示ユニット７に設けられた報知ランプ１０の点灯が開始されて対応するパチンコ遊技機１が釘調整の対象であることが外部に報知される。一方、釘調整作業者は、釘調整作業時において、測定装置９を操作して対象箇所の障害釘の釘間隔についての測定値を取得して台毎表示ユニット７に入力する。これに応じて、台毎表示ユニット７内の制御部１６が、前記今回指示値と上述のように入力された測定値との誤差が所定の許容範囲内にあるか否かを判断し、許容範囲内にあった場合には報知ランプ１０を消灯させると共に、許容範囲外であった場合には報知ランプ１０の点灯状態を継続するようになる。
【００３１】
この結果、パチンコ遊技機１の釘調整時において、その釘調整作業が目標通りに完了していない状態にあるときには、その旨が報知ランプ１０を通じて外部に報知されることになる。このため、このような報知により、釘調整作業者の勘違いなどにより釘調整作業を未完のまま終了してしまう事態を未然に防止できる。また、釘調整作業者が釘調整の未完了状態で故意に作業放棄する事態に対して、上記のような報知機能が牽制力として作用することになる。これにより、パチンコ遊技機１の釘調整時において、その釘調整作業が未完の状態で終了或いは放棄される事態を未然に防止することが可能になる。
【００３２】
尚、本発明は上記し且つ図面に示した実施例に限定されるものではなく、以下に述べるような変形または拡大が可能である。
上記した実施例では、測定装置９は、障害釘の間隔のみを測定できる構成としたが、障害釘の盤面２に対する傾斜角も測定できる構成とすると共に、管理装置８から台毎表示ユニット７に与える釘調整指示データ中に、釘の傾斜角についての調整目標値を含ませる構成としても良い。
【図面の簡単な説明】
【図１】本発明の一実施例による釘調整支援システムの概略的構成図
【図２】台毎表示ユニットの外観を示す正面図
【図３】台毎表示ユニットの電気的構成を示す機能ブロック図
【図４】管理装置側での指示内容設定画面の表示例を示す図
【図５】従業員別釘調整作業集計データの帳票出力例を示す図
【図６】従業員別釘調整作業履歴データ及び日付別詳細データの帳票出力例を示す図
【図７】釘調整難易度設定テーブルの例を示す図
【図８】熟練度ランク設定テーブルの例を示す図
【図９】台毎表示ユニット内の制御部による制御内容を示すフローチャート
【図１０】液晶表示部による複数の表示例を示す図
【符号の説明】
１はパチンコ遊技機、２は盤面、３はスタート入賞口、４は障害釘、７は台毎表示ユニット、８は管理装置（指示内容設定手段、熟練度判定手段）、９は測定装置、１０は報知ランプ、１２は液晶表示部、１６は制御部（作業者認識手段、判断手段、指令手段）を示す。
【図１】
2004113344.tif 000003
【図２】
2004113344.tif 000004
【図３】
2004113344.tif 000005
【図４】
2004113344.tif 000006
【図５】
2004113344.tif 000007
【図６】
2004113344.tif 000008
【図７】
2004113344.tif 000009
【図８】
2004113344.tif 000010
【図９】
2004113344.tif 000011
【図１０】
2004113344.tif 000012